(57)【要約】【課題】文字入力までに要する操作数を削減して使い勝手の向上をはかる。【解決手段】キーボード１５がＬＣＤタッチパネル１４により覆われキーボード１５による文字入力ができない第１の状態（キーボード閉状態）と、キーボード１４が露出して文字入力が可能な第２の状態（キーボード開状態）とを有するスライド式キーボードを搭載した携帯電子機器１０であって、制御部１１は、ＬＣＤタッチパネル１４に対するタッチ操作と、キーボード１５の開状態とを検出すると、文字入力を必要とするアプリケーションプログラムを起動する。制御部１１は、スライド操作とタッチ操作とを組み合わせて画面遷移を制御し、特定のアプリケーションの文字入力画面を直接起動する。【選択図】図１
2015012340.tif 000002
【特許請求の範囲】
【請求項１】
キーボードがタッチパネルにより覆われ前記キーボードによる文字入力ができない第１の状態と、前記キーボードが露出して文字入力が可能な第２の状態とを有するスライド式キーボードを搭載した携帯電子機器であって、
前記タッチパネルに対するタッチ操作と前記第２の状態とを検出すると、前記文字入力を必要とするアプリケーションプログラムを起動する制御部、を
備えたことを特徴とする携帯電子機器。
【請求項２】
前記制御部は、
前記タッチ操作により検出される指の本数によって異なるアプリケーションプログラムを起動することを特徴とする請求項１記載の携帯電子機器。
【請求項３】
前記制御部は、
前記第１の状態から前記第２の状態に遷移したことを検出すると、前記タッチパネルに文字入力領域を含む画面を表示することを特徴とする請求項１または２記載の携帯電子機器。
【請求項４】
前記制御部は、
前記第２の状態から前記第１の状態に遷移したことを検出すると、前記タッチパネルに文字入力領域を含まない画面を表示することを特徴とする請求項１または２記載の携帯電子機器。
【発明の詳細な説明】
【技術分野】
【０００１】
本発明は、スライド式キーボードを搭載した携帯電子機器に関する。
【背景技術】
【０００２】
文字入力が容易で、ツィッター等のＳＮＳ（Social  Networking  Service）やメール
、テキストチャット等によりコミュニケーションを多用するユーザに優しく、例えば、相手の話を聞きながらブラインドタッチで素早くメモをとることができる、スライド式ＱＷＥＲＴＹキーボードを搭載したスマートホンが知られている。
【０００３】
また、例えば、特許文献１には、ＬＣＤ（Liquid  Crystal  Display）タッチパネルが実装された第１の筐体と、キースイッチが実装された第２の筐体とが、それぞれの筐体の長手あるいは短手方向に沿ってスライド移動が可能なスライド式キーボードが搭載された携帯電話機が開示されている。
【先行技術文献】
【特許文献】
【０００４】
【特許文献１】特開２００９−２５３７７２号公報
【発明の概要】
【発明が解決しようとする課題】
【０００５】
上記したスライド式キーボードを搭載したスマートホンでは、キーボードがＬＣＤタッチパネルにより覆われてキーボードによる文字入力ができない状態（キーボード閉状態）と、スライド操作によりキーボードが露出して文字入力が可能な状態（キーボード開状態）とを有する。したがって、キーボードを開状態にすると文字入力画面を使用してキーボードによる文字入力が可能であり、便利である。しかしながら、特定のアプリケーションの文字入力画面でキーボード入力を行うまでに多数の操作を要し、使い勝手が悪かった。
【０００６】
例えば、特定のアプリケーションを起動してからスライド操作によりキーボードを開状態にする場合、まず、ロック画面を指でなぞる操作を行うことで待ち受け画面に遷移させ、特定のアプリケーションを選択することでトップ画面に遷移し、更に文字入力画面に遷移させてキーボードを開状態にするといった合計４回の操作を必要とする。また、キーボードを開状態にしてからアブリケーションを起動する場合、キーボードを開状態にすることでロック画面を解除し、待ち受け画面からアプリケーションのトップ画面に遷移し、文字入力画面に遷移させるといったように合計３回の操作を必要とし、使い勝手の面で問題があった。
【０００７】
本発明は上記した課題を解決するためになされたものであり、文字入力までに要する操作数を削減して使い勝手の向上をはかった携帯電子機器を提供することを目的とする。
【課題を解決するための手段】
【０００８】
上記した課題を解決するために本発明は、キーボードがタッチパネルにより覆われ前記キーボードによる文字入力ができない第１の状態と、前記キーボードが露出して文字入力が可能な第２の状態とを有するスライド式キーボードを搭載した携帯電子機器であって、前記タッチパネルに対するタッチ操作と前記第２の状態とを検出すると、前記文字入力を必要とするアプリケーションプログラムを起動する制御部、を備えたことを特徴とする。
【０００９】
本発明において、前記制御部は、前記タッチ操作により検出される指の本数によって異
なるアプリケーションプログラムを起動することを特徴とする。
【００１０】
本発明において、前記制御部は、前記第１の状態から前記第２の状態に遷移したことを検出すると、前記タッチパネルに文字入力領域を含む画面を表示することを特徴とする。
【００１１】
本発明において、前記制御部は、前記第２の状態から前記第１の状態に遷移したことを検出すると、前記タッチパネルに文字入力領域を含まない画面を表示することを特徴とする。
【発明の効果】
【００１２】
本発明によれば、文字入力までに要する操作数を削減して使い勝手の向上をはかった携帯電子機器を提供することができる。
【図面の簡単な説明】
【００１３】
【図１】本発明の実施の形態の携帯電子機器の操作方法を説明するために引用した図である。
【図２】本発明の実施の形態の携帯電子機器が有するキーボードのキー配列を示す図である。
【図３】本発明の実施の形態の携帯電子機器の内部構成を示すブロック図である。
【図４】本発明の実施の形態の携帯電子機器の動作を示すフローチャートである。
【図５】本発明の実施の形態の携帯電子機器により生成される表示画面の一例を示す図である。
【発明を実施するための形態】
【００１４】
以下、添付図面を参照して、本発明を実施するための形態（以下、本実施形態という）について詳細に説明する。なお、本実施形態の説明の全体を通して同じ要素には同じ番号を付している。
【００１５】
(実施形態の構成)
以下の説明では本実施形態の携帯電子機器１０として、スライド式キーボードを搭載したスマートホンを例示して説明する。スマートホンは、キーボード１５がＬＣＤタッチパネル１４により覆われ、キーボード１５による文字入力ができない第１の状態と、キーボード１５が露出して文字入力が可能な第２の状態とを有するスライド式キーボードを搭載した携帯電子機器である。
【００１６】
図１（ａ）に示すように、ＬＣＤタッチパネル１４に表示されるロック画面をユーザが指１本でタッチした状態でキーボード１５を開状態に設定しようとした場合に、後述する制御部（図２の符号１１）が、特定のアプリケーションの文字入力画面を直接起動することで、文字入力までの操作数を削減可能な構成になっている。また、図２（ｂ）に示すように、キーボード１５を開状態に設定しようとした際に、ＬＣＤタッチパネルをタッチする指の本数にしたがって、起動するアプリケーションを変更することでユーザの利便性を高めることができる。
【００１７】
図２にキーボード１５のキー配列が示されている。本実施形態の携帯電子機器１０で使用されるキーボード１５は、携帯電話用の一般的なキー配列を有しているものとする。なお、英字最上段の左からＱ、Ｗ、Ｅ、Ｒ、Ｔ、Ｙで始まるクォーティー（ＱＷＥＲＴＹ）キー配列でもよく、この場合、タイプライタやＰＣ入力に慣れたユーザの操作性を高めることができる。
【００１８】
図３に示すように本実施形態の携帯電子機器１０は、制御部１１と、記憶部１２と、通
信部１３と、ＬＣＤタッチパネル１４と、キーボード１５と、音声入出力部１６とを含み構成される。
【００１９】
制御部１１は、ＣＰＵを含み、記憶部１２に格納されたプログラムを逐次読み出し実行することにより、スマートホンが有する様々な機能を実行する。例えば、制御部１１は、ＬＣＤタッチパネル１４に対するタッチ操作と、キーボードの開状態（第１の状態）とを検出すると、文字入力を必要とするアプリケーションプログラムを起動する、このとき、制御部１１は、タッチ操作により検出される指の本数によって異なるアプリケーションプログラムを起動してもよい。なお、タッチ操作する指と起動するアプリケーションとの関係は、例えば、ユーザが予め決定し、記憶部１２の所定の領域に割り当てられるテーブルに記憶しておき、これを基にアプリケーションを特定するものとする。
【００２０】
制御部１１は、キーボード開状態（第１の状態）からキーボード閉状態（第２の状態）に遷移したことを検出すると、ＬＣＤタッチパネル１４に文字入力領域を含む画面（文字入力画面）を表示してもよい。制御部１１は、キーボード閉状態からキーボード開状態に遷移したことを検出すると、ＬＣＤタッチパネル１４に文字入力領域を含まない画面を表示してもよい。
【００２１】
記憶部１２は、上記したプログラムが格納されるプログラム領域の他に、ユーザによって予め登録されるデータが記憶されるテーブル領域と、プログラムの実行途中に作成されるデータが格納される作業領域と、が割り当てられる。テーブル領域には、タッチする指と対応するアプリケーションプログラムとの関係が登録されているものとする。記憶部１２には、ＤＲＡＭ，ＳＲＡＭ，フラッシュメモリ等が実装される。
【００２２】
通信部１３は、スマートホンとは別の携帯電子機器、あるいは図示省略したＩＰ（Internet  Protocol）ネットワークに接続されたウェブサーバ等の通信装置からの信号を基地局経由で受信する。通信部１３は、その受信信号に対して憎幅処理及びダウンコンバートを行って制御部１１に出力する。このとき制御部１１は、入力される受信信号に対して復調処理等を行って、当該受信信号に含まれる、音声や音楽などを示す音信号などを取得する。また通信部１３は、制御部１１で生成された、音信号等を含む送信信号に対してアップコンバート及び憎幅処理を行って、処理後の送信信号を無線送信する。送信信号は、図示省略した基地局を通じて、スマートホンとは別の携帯電子機器、あるいはＩＰネットワークに接続された通信装置で受信される。
【００２３】
ＬＣＤタッチパネル１４は、ＬＣＤ表示パネルとタッチパネルとが一体形成された表示操作デバイスである。ＬＣＤ表示パネルは、制御部１１により生成される文字、記号、図形を含む各種情報、例えば、図５（ａ）（ｂ）（ｃ）に示す画面情報を表示する。なお、表示パネルは、ＬＣＤに代わって有機ＥＬであってもよい。タッチパネルは、例えば、投影型静電量容量方式のタッチパネルであって、ＬＣＤ表示パネルの表示面に対する使用者の操作を検出する。こここでは、同時に複数の箇所に接触してそれぞれの位置や動きを指示することのできるマルチタッチ対応のタッチパネルを使用するものとする。
【００２４】
タッチパネルは、ＬＣＤ表示パネルの表示面に貼り付けられており、互いに対向配置されたシート状の２つの電極センサーを備えている。２つの電極センサーは透明粘着性シートによって貼り合わされている。一方の電極センサーには、それぞれがＸ軸方向に沿って延在し、かつ互いに平行に配置された複数の細長いＸ電極が形成されている。他方の電極センサーには、それぞれがＹ軸方向に沿って延在し、かつ互いに平行に配置された複数の細長いＹ電極が形成されている。
【００２５】
ＬＣＤ表示パネルの表示面に対して使用者の指が接触すると、その接触箇所の下にある
Ｘ電極及びＹ電極の間の静電容量が変化することによって、タッチパネルにおいてＬＣＤ表示パネルの表示面に対する操作が検出される。タッチパネルにおいて生じる、Ｘ電極及びＹ電極の間の静電容量変化は制御部１１に伝達され、制御部１１は当該静電容量変化に基づいてＬＣＤ表示パネルの表示面に対して行われた操作の内容を特定し、それに応じた動作を行う。
【００２６】
キーボードは、携帯配列用の複数のキースイッチからなり、これらキースイッチのそれぞれが使用者によって押しされると、キースイッチが押下されたことを示す操作信号を制御部１１に出力する。制御部１１は、入力される操作信号に基づいて、複数のキースイッチのうちのどれが操作されたかを特定し、操作されたキースイッチに応じた動作を行う。
【００２７】
音声入出力部１６は、マイク１７を介して入力される音声信号や、スピーカ１８から出力される音声信号の入出力処理を行う。すなわち、マイク１７から入力される音声を増幅し、アナログ−デジタル変換を行い、更に符号化等の信号処理を施し、デジタルの音声データに変換して制御部１１に出力する。また、制御部１１から出力される音声データに復号化、デジタル−アナログ変換、増幅等の信号処理を施し、アナログの音声信号に変換してスピーカ１８に出力する。
【００２８】
（実施形態の動作）
以下、図４のフローチャート、ならびに図５に示す画面構成の一例を参照しながら本実施形態の携帯電子機器１０の動作について詳細に説明する。
【００２９】
制御部１１は、まず、ユーザによるＬＣＤタッチパネル１４の表示面をなぞるフリック操作を検知すると（ステップＳ１０１“ＹＥＳ”）、ＬＣＤタッチパネル１４に表示されているロック画面のロックを解除して（ステップＳ１０２）、ロック画面を消去し（ステップＳ１０３）、ロック画面に代わる待ち受け画面を表示する（ステップＳ１０４）。
【００３０】
一方、フリック操作が検知されず（ステップＳ１０１“ＮＯ”）、ＫＢ（キーボード）１５を閉状態から開状態にする操作を検知すると（ステップＳ１０５“ＹＥＳ”）、制御部１１は、ＬＣＤタッチパネル１４に表示されているロック画面のロックを解除して（ステップＳ１０６）、画面への指の接触の有無を判定する（ステップＳ１０７）。画面への接触を検知すると（ステップＳ１０７“ＹＥＳ”）、制御部１１は、更に接触した指の本数を判定し（ステップＳ１０８）、接触を検知した指が１本であれば（ステップＳ１０８“１”）、記憶部１２のテーブル領域を参照して得られる特定のアプリケーションＡを文字入力待ち状態で起動し、例えば、図５（ａ）に示すトップ画面を表示する（ステップＳ１０９）。図４のＳ１０８は、接触箇所が“１”又は“２”であったが、必ずしもこの場合に限られない。例えば、Ｓ１０８にて接触箇所が“３”の場合には、アプリケーションＣを起動し、Ｓ１１１に遷移してもよい。
【００３１】
また、接触した指が２本であれば（ステップＳ１０８“２”）、制御部１１は、特定のアプリケーションＢを文字入力待ち状態で起動する（ステップＳ１１０）。なお、本実施形態の携帯電子機器１０で使用するＬＣＤタッチパネル１４はマルチタッチ対応であるため、接触した指の本数のそれぞれに応じた特定のアブリケーションを文字入力待ち状態で起動することが可能になる。続いて、制御部１１は、ロック画面を消去して、例えば、図５（ｂ）に示す起動されたアプリケーションの文字入力領域を含む画面に遷移する（ステップＳ１１１）。尚、図５（ｂ）において、「こんにちは」が入力されており、そのあとにカーソルが表示されているので、ユーザは継続して文字入力が行える。
【００３２】
なお、図４に示すフローチャートは、キーボード１５を閉状態から開状態にするスライド操作を検知することによってＬＣＤタッチパネル１４に文字入力領域を含む画面を表示
する場合について説明したが、更に、キーボードを開状態から閉状態にするスライド操作を検知することによって、ＬＣＤタッチパネル１４に、例えば、図５（ｃ）に示す、音楽再生アプリケーションのような、文字入力領域を含まない画面を表示してもよい。
【００３３】
（実施形態の効果）
以上説明のように本実施形態の携帯電子機器１０によれば、制御部１１は、ＬＣＤタッチパネル１４に対するタッチ操作とキーボード開状態（第２の状態）とを検出すると、文字入力を必要とするアプリケーションプログラムを起動する。したがって、制御部１１は、スライド操作とタッチ操作と組み合わせて画面遷移を制御し、特定のアプリケーションの文字入力画面を直接起動することにより、文字入力までの操作回数を削減することができる。したがって、使い勝手が向上する。
【００３４】
また、本実施形態の携帯電子機器１０によれば、制御部１１は、タッチ操作により検出される指の本数によって異なるアプリケーションプログラムを起動する。このように、複数のアプリケーションの文字入力画面をタッチする指の本数に応じて切り替えることができ、ユーザに利便性を提供することかできる。
【００３５】
また、本実施形態の携帯電子機器１０によれば、制御部１１は、キーボード１５の閉状態（第１の状態）からキーボード１５の開状態（第２の状態）に遷移したことを検出すると、ＬＣＤタッチパネル１４に文字入力領域を含む画面を表示し、あるいは、キーボード１５の開状態（第２の状態）からキーボード１５の閉状態（第１の状態）に遷移したことを検出すると、ＬＣＤタッチパネル１４に文字入力領域を含まない画面を表示する。このように、スライド操作とタッチ操作と組み合わせて画面遷移を制御し、特定のアプリケーションの文字入力画面、あるいは文字入力画面を不要とする画面を直接起動することで、文字入力までの操作回数を削減するとともに、文字入力を不要とするアプリケーションにおいても使い勝手の向上がはかれ、全体としての操作性を向上させることができる。
【００３６】
本実施形態の携帯電子機器１０によれば、携帯電子機器として、スマートホンのみ例示したが、スマートホンに限らず、タブレット端末、ＰＣ、携帯電話、ＰＤＡ（Personal  Digital  Assistance）等、スライド式キーボードを用いた電子機器であればいずれにも
適用が可能である。また、キーボード１５として携帯キー配列を持つ携帯電子機器１０について説明したが、ＱＷＥＲＴＹ配列でもよく、配列に制限されることなくスライド式のキーボードであればいずれでもよい。
【００３７】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３８】
１０  携帯電子機器、１１  制御部、１２  記憶部、１３  通信部、１４  ＬＣＤタッチパネル、１５  キーボード、１６  音声入出力部、１７  マイク、１８  スピーカ
【図１】
2015012340.tif 000003
【図２】
2015012340.tif 000004
【図３】
2015012340.tif 000005
【図４】
2015012340.tif 000006
【図５】
2015012340.tif 000007